(57)【要約】【課題】　印刷製品の版型に対する優れた適応性と、被印刷材料を経済的に無駄無く効率的に使い尽くすことができるようにする、ウェブを裁断するための方法を提供する。【解決手段】　異なる高さＬ１，Ｌ２を有する少なくとも２つの印刷面３，４の走行方向に繰り返される連続した組を備えるウェブ２，１３を裁断するための方法において、前記ウェブを、高さＬ１，Ｌ２に対応する異なる長さの切断長で、裁断装置５，１２を用いて枚葉紙３´，４´に切断する。【選択図】　図１
2004114286.tif 000002
【特許請求の範囲】
【請求項１】
　走行方向に繰り返す少なくとも２つの印刷面（３，４）の連続した組を備えかつ前記印刷面が異なる高さ（Ｌ１，Ｌ２）を有するウェブ（２，１３）を裁断するための方法であって、前記ウェブを、裁断装置（５，１２）を用い、前記高さ（Ｌ１，Ｌ２）に対応する切断長によって枚葉紙（３´，４´）に切断する方法。
【請求項２】
　請求項１に記載の方法において、
少なくとも一つの切断カッタ（８）を持つカッタ胴（７）を備えた裁断装置（５）に、前記ウェブ（２）を略一定のウェブ速度で供給し、前記切断カッタを切断線に平行な軸線の周りで回転させ、前記カッタ胴（７）を、切断時において前記ウェブ速度に略対応する周速度で駆動し、切断が終わると、切断すべき前記印刷面（３，４）の前記高さ（Ｌ１，Ｌ２）に対応する次の切断長を予め入力設定し、このとき、前記カッタ胴（７）のモータ（６）のモータ制御部に、メモリから選び出された運動工程を予め入力設定することを特徴とする方法。
【請求項３】
　請求項２に記載の方法において、
　前記ウェブ（２）をロール紙輪転印刷機内で印刷し、その後、前記裁断装置（５）に供給し、このとき、前記版胴（１）のモータ（１０）の操作制御部を、前記カッタ胴（７）のモータ（６）の運動工程を保持する計算機・メモリユニット（９）に関連させ、これにより、前記ウェブ（２）に位置を同期させながら前記版胴（１）の回転位置に応じて周期的に繰り返し前記運動工程を入力設定することを特徴とする方法。
【請求項４】
　請求項１に記載の方法において、
　前記ウェブ（１３）を裁断装置（１２）に供給し、該裁断装置内で、前記ウェブに向けられたビーム（１４，２４）によって前記ウェブ（１３）を切り離し、このとき、前記ビーム（１４，２４）を偏向装置（１６）によって制御し、切断が終わると、切断すべき前記印刷面の前記高さに対応する次の切断長を予め入力設定し、その際、前記切断長をメモリ（１９）から選び出すことを特徴とする方法。
【請求項５】
　請求項４に記載の方法において、
　前記偏向装置（１６）に、前方へ動いていく前記ウェブ（１３）の位置変化を考慮した信号を入力することを特徴とする方法。
【請求項６】
　請求項４または請求項５に記載の方法において、
　前記偏向装置（１６）に、切断輪郭形状を考慮した信号を入力し、これにより、前記輪郭形状に合わせて、前記ビーム（１４，２４）をウェブの動きに対して前方や後方により素早く動かすようにすることで、直線とは異なるものを切断することを特徴とする方法。
【請求項７】
　請求項４から請求項６のいずれか１項に記載の方法において、
　前記ビームをレーザ（１４）もしくはジェット水流（２４）とすることを特徴とする方法。
【請求項８】
　請求項に記載の方法において、
　前記ウェブ（２，１３）を、ロール紙輪転印刷機からか、あるいは繰出装置（１１）から前記裁断装置（５，１３）に供給することを特徴とする方法。
【発明の詳細な説明】
【技術分野】
【０００１】
　本発明は、ウェブを裁断するための方法に関する。
【背景技術】
【０００２】
　ロール紙輪転印刷機によって印刷されたウェブは、該ウェブ自身の走行方向に、同じ高さの印刷ページ、あるいは言い換えれば印刷面（Druckseite）が幾つも連続して印刷される。印刷面の高さは、印刷機の版胴の周長もしくは周長の半分に等しいのが普通である。ウェブの後続の処理には、通常、巻取りか、あるいは、同じ長さの枚葉紙へのウェブの裁断と、この枚葉紙の送り出し、ならびに積み紙か折り畳みが入る。
【０００３】
　さらに、印刷機の外周の版型（Umfangsformat）は、同じ長さのさらに細かな下位の版型（Unterformat）に分けられることが周知となっている。この場合も、ウェブを引き続き処理する際に、上記下位の版型の高さに合わせて、同じ高さの枚葉紙が切り出される。
【０００４】
　このような処理を行う際に問題になるのは、版型を選択することで印刷が制限されるか、あるいは、印刷版の使用可能な印刷面が有効に使い切れないといった点である。調整及び制御の目的に用いられるマークは、普通、版胴１回転につき１回だけ印刷されれば十分であるから、このマークを有する調整ストライプ（Kontrollstreifen）も、たった一つの印刷面に設けるだけで十分である。かくして、この領域は、他の印刷面においては使われないままとなる。
【発明の開示】
【発明が解決しようとする課題】
【０００５】
　本発明の目的は、印刷製品の版型を上手く変えることができ、被印刷材料を経済的に無駄無く使い切ることができるようにする、ウェブを裁断するための方法を提供することにある。
【課題を解決するための手段】
【０００６】
　この課題は、本発明により、独立請求項に記載の特徴部分の構成により解決される。本発明によれば、大幅に版型を変える印刷製品に対するウェブを処理することができる。
【発明を実施するための最良の形態】
【０００７】
　以下、本発明を実施形態に基づき詳述する。
【０００８】
　図１には、ロール紙輪転印刷機のうち、概略的に版胴１のみ示されている。この版胴によって、印刷版の印刷像がウェブ２上に印刷される。本実施形態においては、版胴１は、一回転する際に、ウェブ２上に印刷面３，４を印刷する。印刷面３，４の高さＬ１とＬ２とを加え合わせたものが、直径Ｄを有する版胴１の周長Ｕを与えるので、以下の関係が成り立つ。
【０００９】
【数１】
2004114286.tif 000003
【００１０】
　印刷されたウェブ２は、裁断装置５に供給される。この裁断装置は、モータ６によって駆動されるカッタ胴７を備えている。カッタ胴７には、切断線に対して平行な軸線周りに回転する少なくとも一つの切断カッタ８が設けられている。カッタ胴７のモータ６のモータ制御部は、計算機・メモリユニット９の出力部に接続され、この計算機・メモリユニット９は、さらに版胴１を駆動するためのモータ１０に接続されている。
【００１１】
　切断時には、カッタ胴７は、概ねウェブ速度に相当する周速度で動かされる。このとき、切断カッタ８は、図示されぬ対向カッタと協働する。カッタ胴７上には、複数の切断カッタ８を設けることもできる。このとき、切断を行う２つの隣り合う切断カッタの間の周方向の間隔は、量ると切断長とは違うようにすることができる。切断が行われた後、カッタ胴７のモータ６に対して、切断すべき印刷面３の高さＬ１もしくは印刷面４の高さＬ２に対応する次の切断長が入力設定される。詳細には、モータ６に対して、計算機・メモリユニット９のメモリから選ばれた一つの動かし方（運動工程）が入力設定される。このような運動工程は、図中、象徴的に計算機・メモリユニット９に記されている。例えば、印刷枚葉紙３´が出来る印刷面３の切断後、計算機・メモリユニット９によって、切断すべき印刷面４の高さＬ２に対応する切断長が入力設定される。これにより、ウェブ２がさらにＬ２の量だけ移動したところで、次の切断を行うカッタが使える状態となるように、モータ６に運動工程が入力設定される。変更され得る判型の組に合わせて幾つもの切断長が入力設定される。
【００１２】
　印刷機からウェブ２が本実施形態のように供給される場合、ウェブ２に位置が同期した版胴１の回転位置に応じた切断長が実現されるよう、運動工程が入力設定されることが好ましい。そのために、版胴１のモータ１０のモータ制御部が適切に関連し合った状態で計算機・メモリユニット９に接続されている。こうして、胴外周上に配設された多様な印刷面が、確実に繰り返し周期的に切断され、全ての切断の連続する組が繰り返される。このようにして、版胴１の周りに配置された異なる版型もしくは印刷面を処理することができる。これにより、印刷像でカバーされる版胴の外周部分を効率よく利用することが可能になる。このようにして、例えば、制御用ならびに測定用のマークを印刷するための領域を様々に選択することも可能になる。ウェブ２は、図２に示されているように、繰出装置１１から裁断装置５に供給することもできる。この場合には、好適にも、ウェブ２を動かすローラの駆動部を用いて、ウェブ２の動きにカッタ胴７を同期させることができる。
【００１３】
　図３は、ウェブ１３を切り離すためにレーザ光線１４（ビーム）が用いられる裁断装置１２を示す。詳細には、このレーザ光線１４は、レーザ１５で生成され、偏向装置１６によって、方向１７に動いているウェブ１３を横切るように偏向される。偏向は、偏向装置１６を介して行われ、上記偏向装置が操作制御装置１８に接続されている。操作制御装置１８には、さらにメモリ１９の出力部が導かれている。加えて、操作制御装置１８は、ウェブ１３を搬送するローラ２１を駆動するモータ２０にも接続されている。
【００１４】
　直接印刷機から、もしくは繰出装置から供給することができ、ローラ２１によって搬送されるウェブ１３は、切断のため、レーザ光線１４によって横に切断される。レーザ光線は、動くウェブ１３を横切るように偏向装置１６によって走査される。このとき、偏向装置１６には、前方へ動いていくウェブ１３の位置変化を考慮に入れた信号が入力される。ウェブ１３の位置は、好適にも、ウェブ１３を移送するローラ２１のモータ２０の位置から検出される。
【００１５】
　切断が行われた後、操作制御装置１８には、切断すべき印刷面の高さに相当する次の切断長が入力設定される。この切断長は、メモリ１９内に蓄えられている。図１のウェブ２に示されているように、ウェブ１３が連続した幾つかの印刷面の組を有している場合には、真っ直ぐな切断が行われる。しかしながら、偏向装置１６を上手く操作することによって、図３のウェブ１３に示されているように、直線とは異なる輪郭も切断する事ができる。この場合には、メモリ１９によって、切断する輪郭形状を考慮した信号が操作制御装置に送られる。こうして、偏向装置１６は、操作制御装置１８によって操作され、これにより、レーザ光線１４がウェブの動きに対して前方や後方に適切により素早く動かされて上記の切断輪郭形状が得られるようになっている。レーザ光線の自由に選択可能な使い方によって、任意の外形状の切り取り区間部２２，２３にウェブ１３を分けることができる。例えば図３に示されるような、包装印刷に好適に利用可能な切り取り区間部２２，２３を部分的に重ね合わせることによって、印刷表面ならびに被印刷材料を余す所無く最適に使い切ることができる。
【００１６】
　レーザ光線１４を用いる代わりに、切断器具として、ジェット水流２４（ビーム）を用いることもできる（図３には、括弧書きで示されている）。このようなジェット水流は、偏向装置によって揺動されるノズルを使って作ることができる。
【図面の簡単な説明】
【００１７】
【図１】ロール紙輪転印刷機から供給されるウェブにおける裁断装置を示す図である。
【図２】ウェブを送り出す繰出装置を示す図である。
【図３】レーザ光線によって動作する裁断装置を示す図である。
【符号の説明】
【００１８】
　１・・・版胴
　２・・・ウェブ
　３・・・印刷面
　３´・・・枚葉紙
　４・・・印刷面
　４´・・・枚葉紙
　５・・・裁断装置
　６・・・モータ
　７・・・カッタ胴
　８・・・切断カッタ
　９・・・計算機・メモリユニット
　１０・・・モータ
　１１・・・繰出装置
　１２・・・裁断装置
　１３・・・ウェブ
　１４・・・レーザ光線（ビーム）
　１５・・・レーザ
　１６・・・偏向装置
　１７・・・方向
　１８・・・操作制御装置
　１９・・・メモリ
　２０・・・モータ
　２１・・・ローラ
　２２・・・切り取り区間部
　２３・・・切り取り区間部
　２４・・・ジェット水流（ビーム）
　Ｕ・・・外周
　Ｌ１・・・高さ
　Ｌ２・・・高さ
【図１】
2004114286.tif 000004
【図２】
2004114286.tif 000005
【図３】
2004114286.tif 000006